(57)【特許請求の範囲】
【請求項１】
複数の排水用孔を形成した排水受部と、排水受部の外周部の外周縁よりも内側に控えた位置から上方に突出する立上部と、立上部の上端部に設けた摘み部を備え、立上部の下端部の排水受部の中心とは反対側の外面を排水受部の中心から離れる程下方に位置するよう下り傾斜する流水面部としたヘアキャッチャーであって、排水受部の片側半部に形成されて複数の排水孔を形成した排水部と、排水受部の他側半部から上方に突出するオーバーフロー管部と、オーバーフロー管部の上端部から横向きに突出する前記摘み部を備え、該オーバーフロー管部で前記立上部を構成し、該オーバーフロー管部の下端部の外周面に形成されて、オーバーフロー管部の外側程下方に位置するよう下り傾斜する案内面を備え、該案内面は、排水部と反対側に面して前記流水面部を構成する部分と、平面視で流水面部及び排水部を通過する直線の両側に位置して流水面部に連続するガイド面部を備え、各ガイド面部に排水部側程下り傾斜する水勾配を設けて成ることを特徴とするヘアキャッチャー。
【請求項２】
前記オーバーフロー管部を円筒状に形成したことを特徴とする請求項１に記載のヘアキャッチャー。
【発明の詳細な説明】
【技術分野】
【０００１】
本発明は水受面に形成した排水孔に設置されて毛髪等を捕集するヘアキャッチャーに関する。
【背景技術】
【０００２】
浴室の洗い場等に形成される排水孔には髪の毛、湯垢、体毛、金属石鹸等（以下、これら捕集物を毛髪等と記載する）を捕集するためにヘアキャッチャーが配置される（例えば特許文献１）。
【０００３】
ところで、ヘアキャッチャーは目詰まりを防止するために捕集した毛髪等を定期的に取り除く必要があるが、この手入れ作業は毛髪等が排水用孔に絡まることもあり非常に面倒である。しかし、従来の一般的なヘアキャッチャーは、図６に示すようにヘアキャッチャーの排水受部２７の外周縁から取手部３６の立上部３７が突出しているので、ヘアキャッチャーの外側から流れ込んだ排水に含まれる毛髪等が立上部３７に引っ掛かって絡まることがあり、このように毛髪等が立上部３７に絡まると手入れが非常に面倒になる。
【０００４】
また、特許文献１に示すヘアキャッチャーのように排水受部の外周縁よりも内側に控えた位置に取手部の立上部を立設したものがあり、このものは立上部が排水用孔に近い位置に配置されて立上部近傍には多量の排水が流れるため、図６に示すヘアキャッチャーと比較した場合には立上部に毛髪等が絡み難くなっているが、依然として立上部に毛髪等が絡みつくことがあり、改善の余地がある。
【特許文献１】特開２００２−１３１７６号公報
【発明の開示】
【発明が解決しようとする課題】
【０００５】
本発明は上記従来の問題点に鑑みて発明したものであって、立上部に毛髪等が絡み難く、手入れが容易にできるヘアキャッチャーを提供することを課題とするものである。
【課題を解決するための手段】
【０００６】
上記課題を解決するために本発明の請求項１に係るヘアキャッチャーは、複数の排水用孔２８を形成した排水受部２７と、排水受部２７の外周部の外周縁よりも内側に控えた位置から上方に突出する立上部３７と、立上部３７の上端部に設けた摘み部３５を備え、立上部３７の下端部の排水受部２７の中心とは反対側の外面を排水受部２７の中心から離れる程下方に位置するよう下り傾斜する流水面部３８としたヘアキャッチャーであって、
排水受部２７の片側半部に形成されて複数の排水孔２を形成した排水部２９と、排水受部２７の他側半部から上方に突出するオーバーフロー管部３０と、オーバーフロー管部３０の上端部から横向きに突出する前記摘み部３５を備え、該オーバーフロー管部３０で前記立上部３７を構成し、該オーバーフロー管部３０の下端部の外周面に形成されて、オーバーフロー管部３０の外側程下方に位置するよう下り傾斜する案内面３９を備え、該案内面３９は、排水部２９と反対側に面して前記流水面部３８を構成する部分と、平面視で流水面部３８及び排水部２９を通過する直線ｃの両側に位置して流水面部３８に連続するガイド面部４０を備え、各ガイド面部４０に排水部２９側程下り傾斜する水勾配を設けて成ることを特徴とする。このように取手部３６の立上部３７を排水受部２７の外周部において排水受部２７の外周縁よりも内側に控えた偏心位置から上方に向けて突出することで、立上部３７に毛髪等が絡み難くなる。また、ヘアキャッチャー１の外側から流れてきた排水が取手部３６に至ることがあるが、この立上部３７の下端部の排水受部２７の中心とは反対側の外面を排水受部２７の中心から離れる程下方に位置するよう下り傾斜した流水面部３８としているので、流水面部３８に至った排水をスムーズに排水部２９側に案内でき、より一層立上部３７に毛髪等が絡み難くなる。また、オーバーフロー管部３０で取手部３６の立上部３７を兼用できるのは勿論、加えて、案内面３９の両側のガイド面部４０により流水面部３８からの排水をスムーズに排水部２９側に案内でき、より一層立上部３７に毛髪等が絡み難くなる。
【０００７】
また、請求項２は請求項１において、前記オーバーフロー管部３０を円筒状に形成したことを特徴とする。
【発明の効果】
【０００８】
請求項１に係る発明では、取手部の立上部を排水受部の外周部において排水受部の外周縁よりも内側に控えた偏心位置から上方に向けて突出することで、立上部に毛髪等が絡み難くなり、また、ヘアキャッチャーの外側から流れてきた排水が取手部に至ることがあるが、この立上部の下端部の排水受部の中心とは反対側の外面を排水受部の中心から離れる程下方に位置するよう下り傾斜した流水面部としているので、流水面部に至った排水をスムーズに排水部側に案内でき、より一層立上部に毛髪等が絡み難くすることができ、この結果、ヘアキャッチャーの手入れが容易になる。
【０００９】
また、案内面の両側のガイド面部により流水面部からの排水をスムーズに排水部側に案内でき、より一層立上部に毛髪等が絡み難くなる。
【発明を実施するための最良の形態】
【００１０】
以下、本発明の実施形態の一例のヘアキャッチャーを添付図面に基づいて説明する。
【００１１】
まず本発明のヘアキャッチャー１を水受面となる浴室の洗い場に形成した排水孔２に配置した状態を図４に示す。図に示すように浴室の床パン３は洗い場を構成する洗い場部４と浴槽が設置される浴槽設置部５を備え、洗い場部４と浴槽設置部５の間には堰部６を立ち上げている。床パン３の浴槽設置部５側の端部には取付口７を形成してあり、取付口７に排水トラップ８を取り付けることで排水孔２を形成している。
【００１２】
排水トラップ８は、取付口７の下方に配置される容器状のトラップ本体９と、トラップ本体９に取り付けた取付用筒体１０と、トラップ本体９の内側に挿入される封水筒体１１とを備えている。
【００１３】
トラップ本体９の上面に形成した開口部１１には取付用筒体１０の下部をねじ込んで取り付けてあり、この取付用筒体１０の上端部外周から突設した上側鍔部５０とトラップ本体９の開口部１１の周縁部とでパッキン１２を介して取付口７の周縁部を挟持して、トラップ本体９を水密的に取付口７に取り付けている。取付口７の周縁部は段部１３を介して床パン３の洗い場部４の上面よりも低くなっており、これにより洗い場部４に排水カバー１４を配置するための凹所１５を形成している。
【００１４】
トラップ本体９の外周壁部の上部には排出口部１６を設けてあり、排出口部１６にはトラップ本体９内の排水を外部に排出するための排水管１７を接続している。また、トラップ本体９の外周壁部の下部には連通口部１８を設けてあり、連通口部１８には浴槽から排出された水をトラップ本体９内へと導く導入管（図示せず）を接続している。
【００１５】
取付用筒体１０の下端部内周からは下側鍔部２０を突設してあり、下側鍔部２０上には封水筒体１１の上端部に周設したフランジ部２１を載設している。封水筒体１１の下部はトラップ本体９の排出口部１６よりも下方の位置まで挿入してあり、これにより封水筒体１１の下部はトラップ本体９内の溜水２２内に浸かってトラップ本体９内に封水部２３を形成する。
【００１６】
ヘアキャッチャー１は取付用筒体１０の内側で且つ封水筒体１１の上方に配置される。ヘアキャッチャー１は例えば外周縁部を排水孔２の周縁部（取付用筒体１０の周縁部）上に載設して設置される。なお、ヘアキャッチャー１は排水孔２にねじ込んだり、排水孔２の内周面に係止することで、排水孔２に着脱自在に取り付けても良い。
【００１７】
前述の凹所１５には排水カバー１４を配置している。排水カバー１４の外周部には下方に向けて脚部２４を突設している。排水カバー１４は脚部２４を取付口７の周縁部よりも一段高くなった凹所１５の底部に載置することでヘアキャッチャー１の上方に設置され、ヘアキャッチャー１を含めて上記取付口７に取り付けた排水トラップ８の取付用筒体１０及び封水筒体１１で構成される排水孔２の上端開口を覆い隠す。
【００１８】
上記排水カバー１４の上面は床パン３の洗い場部４の上面と略面一となる。また、排水カバー１４と凹所１５の内周面との間には排水孔２側に水を流すための流水用隙間２５が形成される。流水用隙間２５は、排水カバー１４の外周縁から下方に突出して前記脚部２４を構成する外周壁部の下端部に切欠を設け、該切欠を流水用隙間２５としたり、排水カバー１４の外周部の周方向の複数箇所に脚部２４を設け、脚部２４間の隙間を流水用隙間２５とする等して形成される。なお、流水用隙間２５は排水カバー１４の四方に形成されて排水が排水カバー１４の全周から流入するように設定されるものとする。
【００１９】
上記排水構造にあっては、床パン３の洗い場部４上の水が凹所１５の内周面と排水カバー１４の外周面との間の隙間２６から前記流水用隙間２５を介して排水カバー１４の下方に流入し、次いで取付用筒体１０及び封水筒体１１で構成された排水孔２に流入してヘアキャッチャー１で毛髪やゴミが捕集され、この後、封水部２３を介して排出口部１６から外部に排出される。
【００２０】
図１及び図２に上記排水孔２に設置される本例のヘアキャッチャー１を示す。本例のヘアキャッチャー１は床パン３から流れ込んだ排水を受ける排水受部２７で主体を構成してあり、排水受部２７は厚みが薄く平面視円形の皿状をしている。図２（ａ）に示すように排水受部２７は、片側半部（図２（ａ）に示す境界線ａよりも右側の部分）を多数の排水用孔２８を形成した排水部２９とすると共に、他側半部（図２（ａ）に示す境界線ａよりも左側の部分）には上方に向けて突出する円管状のオーバーフロー管部３０を形成している。オーバーフロー管部３０はヘアキャッチャー１の排水部２９に形成した排水用孔２８が毛髪等で目詰まりした場合に排水を通過させる流路を構成するものである。該オーバーフロー管部３０は排水受部２７の他側半部の中央に位置し、該オーバーフロー管部３０を挟んだ他側半部の両側部分は排水部２９へと排水を誘導する誘導部３１ａ、３１ｂとなり、各誘導部３１ａ、３１ｂは排水部２９に連続して排水部２９と両側の誘導部３１ａ、３１ｂとで平面視で三日月状をなす。また、本例のヘアキャッチャー１は平面視でその中心（排水受部２７の中心）とオーバーフロー管部３０の中心を通過する中心線ｂを中心にして線対称に形成してあり、各誘導部３１ａ、３１ｂの上面の面積は同じである。
【００２１】
各誘導部３１ａ、３１ｂは排水部２９側に向かって滑らかに下り傾斜し水勾配が設けられている。また各誘導部３１ａ、３１ｂには排水用の孔を形成しておらず、非開口となっている。このため、排水部２９と反対側からヘアキャッチャー１に流れ込んだ排水は各誘導部３１ａ、３１ｂによって排水部２９側にスムーズに誘導される。
【００２２】
排水部２９の最下部は水平な底部３２で構成してあり、該底部３２はオーバーフロー管部３０に対向する箇所に位置する。排水部２９の底部３２を除く部分は底部３２に向かって滑らかに下り傾斜し、ここにも水勾配を設けている。即ち排水受部２７には最下部に位置する排水部２９の底部３２に向かって全方向から水勾配が設けられている。また、排水部２９の底部３２と排水受部の周縁部を構成する環状の鍔状部３３の排水部２９側の半部とを接続する部分は各誘導部３１ａ、３１ｂの水勾配よりも急な水勾配となった急勾配部３４としてあり、排水部２９においては急勾配部３４を除いた全面に亘って多数の排水用孔２８を形成している。
【００２３】
排水受部２７の外周部から突出したオーバーフロー管部３０の上端部からは排水部２９と反対側に向かって横片状の摘み部３５を突出しており、該摘み部３５を突出したオーバーフロー管部３０で取手部３６を構成している。即ち、オーバーフロー管部３０は取手部３６の立上部３７を構成する。摘み部３５の先端部は排水受部２７よりも外側に突出し、図４のようにヘアキャッチャー１を設置した状態ではオーバーフロー管部３０が排水孔２よりも上方に突出して、摘み部３５が排水孔２の上方に位置する。従って、ヘアキャッチャー１の手入れの際には上方に突出した取手部３６の摘み部３５を指で摘んでヘアキャッチャー１を容易に排水孔２から出し入れできる。
【００２４】
ここで、上記取手部３６の立上部３７を構成するオーバーフロー管部３０の下端部の排水受部２７の中心とは反対側の外面は排水受部２７の中心から離れる程下方に位置するよう下り傾斜した流線状の流水面部３８となっている。本例では、オーバーフロー管部３０の下端部の外周面に周方向の全長に亘ってオーバーフロー管部３０の外側程下方に位置するよう下り傾斜する案内面３９を形成し、該案内面３９の排水部２９と反対側に面する部分を流水面部３８としている。なお、本例の案内面３９は、流水面部３８を含めて、オーバーフロー管部３０の外側程下方に位置するよう下り傾斜した弧状湾曲面となって、その下端部は排水受部２７の周縁部を構成する鍔状部３３の上面に滑らかに連続しているが、案内面３９は直線状の傾斜面であっても良い。
【００２５】
また、案内面３９は、前記流水面部３８を構成する部分に加えて、平面視で流水面部３８と排水部２９を通過する直線ｃ（図２（ａ）参照）の両側に位置して流水面部３８に連続するガイド面部４０を備えている。このオーバーフロー管部３０の各誘導部３１ａ、３１ｂ側に位置する各ガイド面部４０には排水部２９側程下り傾斜する水勾配を設けている。なお、本例のオーバーフロー管部３０は、主体を構成する筒部４４の下端を筒部４４よりも若干大径の大径部４５を介して案内面３９の上端に接続してあり、筒部４４の外周面と大径部４５の外周面との間には段差が形成されている。また、本例の案内面３９は、流水面部３８と、両側のガイド面部４０（図３参照）と、排水部２９側に面して両ガイド面部４０を接続する接続部分４１（図３参照）とで構成してあり、オーバーフロー管部３０の全周に亘って形成したが、オーバーフロー管部３０の下端部の排水部２９側に面する部分、即ち接続部分４１に対応する部分には案内面３９を形成しなくても良く、即ち、案内面３９は少なくとも流水面部３８と両側のガイド面部４０を備えたものであれば良い。
【００２６】
上記ヘアキャッチャー１は例えば排水受部２７の外周縁を構成する環状の鍔状部３３から突出した係合突部４２を排水孔２を構成する取付用筒体１０の内周面に形成した係合溝（図示せず）に係合することで排水孔２に着脱自在に取付けられる。なお、ヘアキャッチャー１の設置状態における向きは限定されるものではなく、偏心位置にあるオーバーフロー管部３０が浴槽側や洗い場側に配置されるように設置したり、また浴槽側を前方、洗い場側を後方とした場合に、ヘアキャッチャー１のオーバーフロー管部３０が左右方向の片側に配置されるように設置しても良く、また、ヘアキャッチャー１は排水孔２の周縁部上に単に載置するだけであっても良い。
【００２７】
上記のように設置されたヘアキャッチャー１には前述のように床パン３からの排水が通過するが、この際、排水は排水カバー１４の流水用隙間２５及び排水孔２の周縁部上を経てヘアキャッチャー１の外側から排水受部２７に流入し、この後、排水部２９に形成した多数の排水用孔２８から下流側に排出される。
【００２８】
ここで、本例のヘアキャッチャー１は、取手部３６の立上部３７を構成するオーバーフロー管部３０を排水受部２７の外周部において排水受部２７の外周縁よりも内側に控えた偏心位置から上方に向けて突出しているので、図５の比較例のように排水受部２７の外周縁から取手部３６の立上部３７を突出したものと比較して、立上部３７（オーバーフロー管部３０）は排水部２９により近い位置に配置されて立上部３７近傍には多量の排水が流れることとなり、立上部３７には毛髪等が絡み難くなっている。また、例えば図３の矢印に示すように排水部２９と反対側の外側からヘアキャッチャー１に流れてきた排水がオーバーフロー管部３０の流水面部３８に至ることがあるが、前述したように流水面部３８は排水受部２７の中心から離れる程下方に位置するよう下り傾斜して排水の流れに対して非垂直となっているので、流水面部３８に至った排水をスムーズに排水部２９側に案内でき、また、この流水面部３８の両端に接続したガイド面部４０により、流水面部３８からの排水をスムーズに排水部２９側に案内でき、この点でも立上部３７には毛髪等が絡み難くなっている。
【００２９】
また、ヘアキャッチャー１の排水受部２７で受けられた排水は各誘導部３１ａ、３１ｂにより排水部２９側にスムーズに誘導され、この排水部２９に形成した多数の排水用孔２８を介して排水がなされる。このため毛髪等は排水用孔２８を設けた排水部２９上にまとまって堆積することとなり、各誘導部３１ａ、３１ｂには毛髪等がたまり難くなる。従って、ヘアキャッチャー１の手入れの際には排水部２９上の一箇所にまとまって堆積した毛髪等を取り除けば良く、簡単に毛髪等を取り除くことができる。また、排水受部２７からは取手部３６を突出しているため、手入れの際に裏返したヘアキャッチャー１の取手部３６の摘み部３５を指で摘んで振ることができ、この時には排水部２９に一箇所にかたまりとなって堆積した毛髪等を簡単に振り落とすことができ、毛髪等を直接指で摘むなどすることなく簡単且つ清潔に手入れができる。さらにこの取手部３６を構成するオーバーフロー管部３０は最も毛髪等が溜まる排水部２９の底部３２から離れたヘアキャッチャー１の偏心位置に設けてあるため、前述のようにヘアキャッチャー１を振って毛髪を振り落とす場合には排水部２９の底部３２にまとめられた毛髪等に遠心力を加えて、一層容易に毛髪等を振り落とすことができる。
【図面の簡単な説明】
【００３０】
【図１】本発明の実施の形態の一例のヘアキャッチャーを示す斜視図である。
【図２】同上のヘアキャッチャーを示し、（ａ）は平面図、（ｂ）は側面図、（ｃ）は背面図である。
【図３】同上のヘアキャッチャーに排水が流れる様子を示す説明図である。
【図４】同上のヘアキャッチャーを排水孔に設置した状態を示す断面図である。
【図５】参考例のヘアキャッチャーの斜視図である。
【図６】従来のヘアキャッチャーの平面図である。
【符号の説明】
【００３１】
１  ヘアキャッチャー
２７  排水受部
２８  排水用孔
３５  摘み部
３７  立上部
３８  流水面部
【図１】
0004840266.tif 000002
【図２】
0004840266.tif 000003
【図３】
0004840266.tif 000004
【図４】
0004840266.tif 000005
【図５】
0004840266.tif 000006
【図６】
0004840266.tif 000007